(57)【特許請求の範囲】
【請求項１】
装置本体の内部に本体収納庫を有し、投入口を介して貨幣が投入された場合にこれを鑑別して本体収納庫に収納する一方、出金指令が与えられた場合にはこの出金指令に該当する金額の貨幣を本体収納庫から出金口を介して装置本体の外部に払い出す制御手段を備えた金銭処理装置であって、所定枚数の硬貨を定形に包装した包装硬貨を収納し、前記装置本体に対して開閉可能、かつ前記装置本体に対して開放した場合に包装硬貨の出し入れが可能な包装硬貨収納庫と、前記包装硬貨収納庫において包装硬貨の有無を検出する包装硬貨検出手段と、前記装置本体に対して前記包装硬貨収納庫を閉塞した場合にその閉塞状態を保持する係合手段とを備え、
前記制御手段は、両替処理指令が与えられた場合、前記投入口を介した貨幣の投入に伴って前記係合手段による前記装置本体に対する前記包装硬貨収納庫の閉塞保持を解除して包装硬貨の取り出しを可能にし、かつ前記包装硬貨検出手段を通じて前記包装硬貨収納庫を監視し、前記装置本体に対して前記包装硬貨収納庫が閉塞状態に戻されたとき、前記投入口への貨幣の入金額と、前記包装硬貨収納庫から取り出された包装硬貨の出金額とを比較し、前記投入口への貨幣の入金額が多い場合は、その差額を前記本体収納庫から前記出金口に払い出すものであって、前記差額が前記本体収納庫に収納される貨幣によって構成できない場合は、前記差額の構成が可能となるまで前記投入口からの貨幣の投入を許可し、かつ前記装置本体に対し前記包装硬貨収納庫を開放状態に保持することを特徴とする金銭処理装置。
【請求項２】
前記制御手段は、前記両替処理指令が与えられた場合、前記投入口を介した貨幣の投入に伴って前記係合手段による前記装置本体に対する前記包装硬貨収納庫の閉塞保持を解除して包装硬貨の取り出しを可能にし、かつ前記包装硬貨検出手段を通じて前記包装硬貨収納庫を監視し、前記装置本体に対して前記包装硬貨収納庫が閉塞状態に戻されたとき、前記投入口への貨幣の入金額と、前記包装硬貨収納庫から取り出された包装硬貨の出金額とを比較し、前記投入口への貨幣の入金額が少ない場合は、前記投入口からその差額の投入を許可し、かつ前記差額が投入されるまで前記装置本体に対し前記包装硬貨収納庫を開放状態に保持することを特徴とする請求項1に記載の金銭処理装置。
【請求項３】
前記両替処理指令が与えられ、前記投入口を介して投入された貨幣の入金額と、前記包装硬貨収納庫から取り出された包装硬貨の出金額とに差額が生じた場合に、その状態を記憶し、前記装置本体に対して前記包装硬貨収納庫を閉塞した場合にその閉塞状態を保持可能にする強制終了手段を備えたことを特徴とする請求項１または請求項２に記載の金銭処理装置。
【発明の詳細な説明】
【技術分野】
【０００１】
本発明は、小売店のレジ等に設置され、顧客等から受け取った貨幣を識別、計数して収納庫に収納するとともに、出金指示により収納庫から釣銭等を出金する金銭処理装置に関し、特に所定枚数の硬貨を定形に包装した包装硬貨を取り扱うとともに、両替処理を実施することができる金銭処理装置に関する。
【背景技術】
【０００２】
このような金銭処理装置としては、先に公開された特開２００７−２３３９２０号公報(特許文献１)に記載されるような金銭管理補充システムが知られている。この特許文献1に記載される金銭管理補充システムは、ＰＯＳレジスタに釣銭機として接続されるものであり、通常においては、買い物客から受け取った貨幣を投入口から投入し、これを鑑別して本体収納庫に収納する一方、ＰＯＳレジスタからの出金指令に従って本体収納庫から釣銭となる貨幣を出金口に払い出すものである。
また、この金銭管理補充システムは、装置本体に対して開閉可能に設けられた包装硬貨収納庫が設けられ、利用者（キャッシャー）等により所定の命令が与えられた場合には、その包装硬貨収納庫が装置本体から引き出され、その内部に包装硬貨を収納することができるように構成されている。また、この金銭管理補充システムは、包装硬貨を包装硬貨収納庫に収納した後、収納された包装硬貨の金種および本数を検出し、この包装硬貨の入金額と等価となる貨幣を本体収納庫から出金口に払いだす両替処理を実施することができる。
【先行技術文献】
【特許文献】
【０００３】
【特許文献１】特開２００７−２３３９２０号公報
【発明の概要】
【発明が解決しようとする課題】
【０００４】
ところで、スーパーマーケット等の規模の大きい店舗においては、複数台のＰＯＳレジスタが隣接して設けられている場合がある。こうした状況下では、一方のＰＯＳレジスタに接続された金銭処理装置において払い出すべき釣銭が不足した場合、他方のＰＯＳレジスタに接続された金銭処理装置との間で貨幣を融通し合って、適宜両替を行っているのが実情である。
しかしながら、こうしたＰＯＳレジスタに接続された金銭処理装置相互間の両替は、人手を介した貨幣の移動を伴うため、ミスが発生しやすい。特に、包装硬貨を用いた金銭処理装置相互間の両替は、包装硬貨収納庫から包装硬貨を取り出す人手を介した操作が必要となるため、計算間違いや記憶違い等の要因により、包装硬貨の取り出し本数にミスが発生し易く、収支が合わない事態を招来する恐れが高い。
尚、上述した問題は、ＰＯＳレジスタに接続した金銭処理装置相互間の両替に限らず、包装硬貨を用いた両替には同様に起こり得るものである。
本発明は、このような実情に鑑みて、包装硬貨を用いた両替を容易に、しかも厳正に実施し得る金銭処理装置を提供することを目的とする。
【課題を解決するための手段】
【０００５】
上記課題を解決するため、請求項１に係る発明は、装置本体の内部に本体収納庫を有し、投入口を介して貨幣が投入された場合にこれを鑑別して本体収納庫に収納する一方、出金指令が与えられた場合にはこの出金指令に該当する金額の貨幣を本体収納庫から出金口を介して装置本体の外部に払い出す制御手段を備えた金銭処理装置であって、所定枚数の硬貨を定形に包装した包装硬貨を収納し、前記装置本体に対して開閉可能、かつ前記装置本体に対して開放した場合に包装硬貨の出し入れが可能な包装硬貨収納庫と、前記包装硬貨収納庫において包装硬貨の有無を検出する包装硬貨検出手段と、前記装置本体に対して前記包装硬貨収納庫を閉塞した場合にその閉塞状態を保持する係合手段とを備え、
前記制御手段は、両替処理指令が与えられた場合、前記投入口を介した貨幣の投入に伴って前記係合手段による前記装置本体に対する前記包装硬貨収納庫の閉塞保持を解除して包装硬貨の取り出しを可能にし、かつ前記包装硬貨検出手段を通じて前記包装硬貨収納庫を監視し、前記装置本体に対して前記包装硬貨収納庫が閉塞状態に戻されたとき、前記投入口への貨幣の入金額と、前記包装硬貨収納庫から取り出された包装硬貨の出金額とを比較し、前記投入口への貨幣の入金額が多い場合は、その差額を前記本体収納庫から前記出金口に払い出すものであって、前記差額が前記本体収納庫に収納される貨幣によって構成できない場合は、前記差額の構成が可能となるまで前記投入口からの貨幣の投入を許可し、かつ前記装置本体に対し前記包装硬貨収納庫を開放状態に保持するものである。
これによれば、前記制御手段は、両替処理指令が与えられたとき、前記投入口を介して投入された貨幣の入金額が、前記包装硬貨収納庫から取り出された包装硬貨の出金額より多く、その差額を前記出金口に払い出す場合に、前記差額が一部金種の貨幣不足により払い出せないときは、前記投入口から貨幣を投入し前記差額を変更することにより、その払出金種構成を変えて払い出し可能にすることができる。また、前記差額が払い出されるまで前記装置本体に対し前記包装硬貨収納庫を開放状態に保持することができる。
【０００６】
また、請求項２に係る発明は、請求項１に係る金銭処理装置において、前記制御手段は、前記両替処理指令が与えられた場合、前記投入口を介した貨幣の投入に伴って前記係合手段による前記装置本体に対する前記包装硬貨収納庫の閉塞保持を解除して包装硬貨の取り出しを可能にし、かつ前記包装硬貨検出手段を通じて前記包装硬貨収納庫を監視し、前記装置本体に対して前記包装硬貨収納庫が閉塞状態に戻されたとき、前記投入口への貨幣の入金額と、前記包装硬貨収納庫から取り出された包装硬貨の出金額とを比較し、前記投入口への貨幣の入金額が少ない場合は、前記投入口からその差額の投入を許可し、かつ前記差額が投入されるまで前記装置本体に対し前記包装硬貨収納庫を開放状態に保持するものである。
これによれば、前記制御手段は、前記両替処理指令が与えられたとき、前記投入口を介して投入された貨幣の入金額が、前記包装硬貨収納庫から取り出された包装硬貨の出金額より少ない場合に、前記装置本体に対し前記包装硬貨収納庫を開放状態とし、かつ前記投入口からその不足額を投入可能にすることができる。
【０００７】
また、請求項３に係る発明は、請求項１または請求項２に係る金銭処理装置において、前記両替処理指令が与えられ、前記投入口を介して投入された貨幣の入金額と、前記包装硬貨収納庫から取り出された包装硬貨の出金額とに差額が生じた場合に、その状態を記憶し、前記装置本体に対して前記包装硬貨収納庫を閉塞した場合にその閉塞状態を保持可能にする強制終了手段を備えたものである。
これによれば、前記両替処理動作において、前記投入口を介して投入された貨幣の入金額と、前記包装硬貨収納庫から取り出された包装硬貨の出金額とに差額が生じた場合に、その両替処理が完了できないときも、その異常状態を記憶し、前記包装硬貨収納庫を前記装置本体に対して前記包装硬貨収納庫を閉塞する状態に復帰させることができる。
【発明の効果】
【０００８】
以上のように請求項１に係る発明によれば、包装硬貨を用いた両替処理において、入出金額の差額を出金口に払い出す場合に、一部金種の不足によりその差額が払い出せないときも、投入口から貨幣を投入しその差額を変更することにより、その金種構成を変えて払い出しを可能にすることができるから、その両替処理を簡易な方法で確実に実施し、違算の発生を防止することができる。また、その差額が払い出されるまで装置本体に対し包装硬貨収納庫を開放状態に保持することで、その両替処理を確実に完了させることができる。これらにより、包装硬貨を用いた両替を容易に、しかも厳正に実施することができる金銭処理装置を提供することができる。
【０００９】
また、請求項２に係る発明によれば、貨幣の入金額が包装硬貨の出金額より少ない場合に、装置本体に対し包装硬貨収納庫を開放状態とし、かつ投入口からその不足額を投入可能にすることができるから、その両替処理を確実に実施し、違算の発生を防止することができる。したがって、これにより包装硬貨を用いた両替を厳正に実施することができる金銭処理装置を提供することができる。
また、請求項３に係る発明によれば、包装硬貨を用いた両替処理において、入出金額の差額が生じた場合に、その両替処理が完了できないときも、その異常状態を記憶し、装置本体に対して包装硬貨収納庫を閉塞する状態に復帰させることによって、異常の原因を解明し易くするとともに、装置の停止時間を短縮することができる。すなわち、不具合の発生時にも効率的な運用が可能な金銭処理装置を提供することができる。
【図面の簡単な説明】
【００１０】
【図１】本発明の実施の形態の金銭処理装置の外観を示す図で、（ａ）は平面図、（ｂ）は正面図である。
【図２】本発明の実施の形態の金銭処理装置における表示手段および操作手段を模式的に示す図である。
【図３】本発明の実施の形態の金銭処理装置に適用される包装硬貨収納庫の斜視図である。
【図４】本発明の実施の形態の金銭処理装置に適用される包装硬貨収納庫と装置本体との間に構成される係合手段の概念図であり、（ａ）は解除された状態、（ｂ）は係合された状態を示す図である。
【図５】本発明の実施の形態の金銭処理装置の制御系を示すブロック図である。
【図６】本発明の実施の形態の金銭処理装置の制御手段が繰り返し実施するメイン処理の内容を示したフローチャートである。
【図７】本発明の実施の形態の金銭処理装置において、制御手段が実施する包装硬貨両替モード処理の内容を示したフローチャートである。
【図８】本発明の実施の形態の金銭処理装置の制御手段が実施する入金追加処理の内容を示したフローチャートである。
【図９】本発明の実施の形態の金銭処理装置の制御手段が実施する出金貨幣変更処理の内容を示したフローチャートである。
【図１０】本発明の実施の形態の金銭処理装置の制御手段が実施する包装硬貨⇒貨幣両替処理の内容を示すフローチャートである。
【発明を実施するための形態】
【００１１】
本発明の実施の形態について図を参照して説明する。図１は、本発明の実施の形態の金銭処理装置の外観を示す図で、（ａ）は平面図、（ｂ）は正面図である。図に示すように、この金銭処理装置は、スーパーマーケットやコンビニエンスストア等の店舗においてＰＯＳレジスタ２００（図５参照）に接続される自動釣銭機として用いられるもので、直方体状を成す装置本体１の前端部に硬貨投入口（投入口）１１、硬貨出金口（出金口）１２、紙幣投入口（投入口）２１、紙幣出金口（出金口）２２を備えている。
【００１２】
硬貨投入口１１は、投入された硬貨を装置本体１の内部に受け入れるための開口であり、装置本体１の上面に形成されている。硬貨投入口１１に投入された硬貨は、図示せぬ投入検出センサによって検出され、硬貨搬送機構１６（図５参照）によって搬送される。ここで搬送される硬貨は、硬貨鑑別センサ１５（図５参照）によって金種が鑑別された後、金種毎に硬貨収納庫（本体収納庫）１０に収納される。硬貨出金口１２は、それぞれの硬貨収納庫１０から搬出された硬貨を装置本体１の外部に払い出すための開口であり、装置本体１の前面に形成されている。尚、図中の符号１３は、硬貨出金口１２から払い出された硬貨を受け入れる受け皿であり、硬貨出金口１２は受け皿１３の上方部に設けられている。
【００１３】
紙幣投入口２１は、投入された紙幣を装置本体１の内部に受け入れるための開口であり、装置本体１の前面上部に設けられている。紙幣投入口２１に投入された紙幣は、図示せぬ投入検知センサによって検知された後、紙幣搬送機構２６（図５参照）によって搬送される。搬送される紙幣は、紙幣鑑別センサ２５（図５参照）によって鑑別された後、金種別に紙幣収納庫（本体収納庫）２０に収納されることになる。紙幣出金口２２は、紙幣収納庫２０から搬出された紙幣を装置本体１の外部に払い出すための開口であり、装置本体１の前面において紙幣投入口２１よりも下方の位置に設けられている。尚、本実施の形態では、硬貨収納庫１０及び紙幣収納庫２０が別個に装置本体１に並設されている。
【００１４】
また、装置本体１の前方部には、図１に示すように表示手段３０及び入力手段４０が設けられている。表示手段３０は、操作者に対して各種表示を行うためのもので、例えば、図２に示すように数値表示部３１及び文字表示部３２を備えた液晶表示器によって構成されている。数値表示部３１は、数字を表示することのできる７セグメント表示器を左右方向に沿って複数並設することにより構成したものである。７セグメント表示器の数は、金銭処理装置で取り扱う金種に対応したものである。本実施の形態では、正面向かって左側から１００００円紙幣、５０００円紙幣、１０００円紙幣、５００円硬貨、１００円硬貨、５０円硬貨、１０円硬貨、５円硬貨、１円硬貨に対応した９個の７セグメント表示器によって数値表示部３１が構成されている。また、文字表示部３２は、文字を表示することのできる矩形状のドットマトリックス表示器によって構成したもので、数値表示部３１よりも手前側となる部位に配設されている。
【００１５】
入力手段４０は、利用者が各種指令を入力するためのものである。本実施の形態では、３×４＝１２個の押ボタンスイッチによって入力手段４０が構成されている。これらの押ボタンスイッチには、例えば表示内容を上下にスクロールさせるための「△」スイッチ４１及び「▽」スイッチ４２、指令を出力するための「実行」スイッチ４３、指令を取り消すための「取消・復旧」スイッチ（強制終了手段）４４等々、各種機能スイッチが用意されている。尚、それぞれの機能スイッチには、一つずつ数字が割り当ててあり、数値を入力することも可能である。
【００１６】
一方、この金銭処理装置は、図１に示すように、装置本体１の下方部に包装硬貨収納庫５０が設けられている。図３は、本発明の実施形態の金銭処理装置に適用される包装硬貨収納庫５０の斜視図である。図に示すように、包装硬貨収納庫５０は同一金種の硬貨を複数枚重ね合わせ、これを樹脂フィルムによって包装して円柱状に形成した包装硬貨を収納するためのもので、上面が開口した箱状を成している。包装硬貨収納庫５０の内部には、包装硬貨を金種別に収納するための半円筒状の収納溝５１が複数形成してあり、さらに各収納溝５１には、収納された包装硬貨の金種を鑑別する包装硬貨鑑別センサ（包装硬貨検出手段）５２が配設されている。この包装硬貨収納庫５０は、前後方向にスライドさせることにより装置本体１に対して開閉可能に配設されている。すなわち、装置本体１に対して手前側に引き出した場合には、上面の開口が外部に露出して開放され、個々の収納溝５１に対して包装硬貨を出し入れすることが可能となる。一方、装置本体１に対して押し入れ、包装硬貨収納庫５０を閉塞位置に配置させた場合、上面の開口が閉塞し、包装硬貨を出し入れすることができない状態となる。
【００１７】
図４は、本発明の実施形態の金銭処理装置に適用される包装硬貨収納庫５０と装置本体１との間に構成される係合手段の概念図であり、（ａ）は解除された状態、（ｂ）は係合された状態を示す図である。図に示すように、包装硬貨収納庫５０と装置本体１の間には、係合手段６０、押圧手段７０及び開閉検知センサ８０が設けられている。
係合手段６０は、装置本体１に対して包装硬貨収納庫５０を押し入れて閉塞した場合に係合可能となり、係合状態となった場合に装置本体１に対して包装硬貨収納庫５０を閉塞した状態に保持するものである。本実施の形態では、包装硬貨収納庫５０の背面に固定フック６１を設ける一方、装置本体１において包装硬貨収納庫５０の背面に対向する部位に可動フック６２を配設し、固定フック６１及び可動フック６２を互いに係合させた場合に包装硬貨収納庫５０を閉塞した状態に保持する係合手段６０を適用している。固定フック６１は、包装硬貨収納庫５０の背面から後方に向けて延在し、その延在端部に係合部６１ａを有したもので、包装硬貨収納庫５０に固定してある。これに対して可動フック６２は、装置本体１から前方に向けて延在したもので、鉛直方向に沿った軸心回りに揺動可能に配設してある。この可動フック６２は、一方側に揺動して係合位置に配置された場合に先端部の係合部６２ａを介して固定フック６１の係合部６１ａに係合可能となる一方、他方側に揺動して非係合位置に配置された場合に固定フック６１との係合状態を解除することが可能である。
【００１８】
この可動フック６２には、フックバネ６３及び係合用電磁ソレノイド６４が連係して備えられている。フックバネ６３は、可動フック６２と装置本体１との間に介在し、可動フック６２が常時係合位置となるように弾性力を付与するものである。係合用電磁ソレノイド６４は、励磁した場合にフックバネ６３の弾性力に抗して可動フック６２を非係合位置に移動させるものである。係合用電磁ソレノイド６４が消磁状態にある場合には、フックバネ６３の弾性力により可動フック６２が係合位置に配置されることになる。
【００１９】
また、押圧手段７０は、装置本体１において包装硬貨収納庫５０の背面に対向する部位に配設したコイルスプリングである。この押圧手段７０は、装置本体１に対して包装硬貨収納庫５０を押し入れた場合に弾性的に変形し、その弾性復元力により包装硬貨収納庫５０を前方に向けて押圧する機能を有している。さらに、開閉検知センサ８０は、包装硬貨収納庫５０が閉塞位置にあるか否かを検出するもので、装置本体１に配設されている。
図５は、本発明の実施の形態の金銭処理装置の制御系を示すブロック図である。図５に示す制御手段１００は、入力手段４０を通じて指令が与えられた場合、あるいは硬貨鑑別センサ１５、紙幣鑑別センサ２５、包装硬貨鑑別センサ５２、開閉検知センサ８０から検出信号が与えられた場合、メモリ１１０に格納したプログラムや初期データに基づいて表示手段３０の表示制御、ブザー９０の鳴動制御、硬貨搬送機構１６の駆動制御、紙幣搬送機構２６の駆動制御、係合用電磁ソレノイド６４の駆動制御を行うものである。図からも明らかなように、制御手段１００は、通信制御部１０１、表示制御部１０２、入力制御部１０３、搬送制御部１０４、入出金管理部１０５、メニュー管理部１０６、等価判定部１０７、開閉制御部１０８、報知出力制御部１０９を有している。
【００２０】
通信制御部１０１は、通信インターフェース１１２を介して接続されたＰＯＳレジスタ２００との間においてデータの送受信制御を行うものである。表示制御部１０２は、表示手段３０に対して表示指令を与えることによって表示手段３０に所望の表示を行う等、表示手段３０の表示制御を行うものである。入力制御部１０３は、入力手段４０が操作された場合にこれに対応する指令を各部に与えるものである。搬送制御部１０４は、硬貨搬送機構１６、紙幣搬送機構２６の駆動を制御するものである。例えば、硬貨投入口１１及び紙幣投入口２１から貨幣が投入された場合、これを装置本体１の内部に取り込んだ後、硬貨鑑別センサ１５や紙幣鑑別センサ２５の鑑別結果に従って該当する金種の収納庫１０，２０，５０に貨幣を収納するように硬貨搬送機構１６や紙幣搬送機構２６の駆動制御を行う。入出金管理部１０５は、硬貨鑑別センサ１５、紙幣鑑別センサ２５及び包装硬貨鑑別センサ５２を監視し、これらの鑑別センサ１５，２５，５２によって検出される入出金額と、予めメモリ１１０に格納された硬貨収納庫１０、紙幣収納庫２０、包装硬貨収納庫５０の初期収納金額とから現在のそれぞれの収納庫１０，２０，５０に対する貨幣の収納金額を管理するものである。また、この入出金管理部１０５は、ＰＯＳレジスタ２００から出金指令が与えられた場合、出金指令に対応した貨幣を硬貨出金口１２及び紙幣出金口２２から払い出す制御も行う。メニュー管理部１０６は、入力手段４０を通じて与えられた指令や硬貨鑑別センサ１５、紙幣鑑別センサ２５、包装硬貨鑑別センサ５２の検出結果に従ってメニューを抽出し、該抽出したメニューを表示手段３０に表示させるべく表示制御部１０２に表示データを与えるものである。また、メニュー管理部１０６は、入力手段４０を通じて優先して払い出す金種が予め設定された場合、この設定された金種を含むメニューの表示順位を早くする等、優先表示するための処理を行う。等価判定部１０７は、両替処理を行う場合に硬貨鑑別センサ１５、紙幣鑑別センサ２５、包装硬貨鑑別センサ５２を監視し、これらの鑑別センサによって検出される入出金額が等価であるか否かを判定するものである。開閉制御部１０８は、係合手段６０の係合用電磁ソレノイド６４を駆動することにより、装置本体１に対する包装硬貨収納庫５０の開閉制御を行うものである。報知出力制御部１０９は、報知出力指令が与えられた場合にブザー９０を鳴動させるものである。
（メイン処理）
【００２１】
図６は、本発明の実施の形態の金銭処理装置の制御手段１００が繰り返し実施するメイン処理の内容を示したフローチャートである。図に示すように、この金銭処理装置が起動している場合、制御手段１００は、常に入力制御部１０３を通じて入力手段４０からモード切替操作（両替動作指令）が入力されたか否かを監視している（ステップＳ１）。モード切替操作とは、釣銭機としてＰＯＳレジスタ２００に接続された金銭処理装置を両替機として使用する場合に行う操作である。本実施の形態では、予め入力手段４０の一要素として用意された２つの押ボタンスイッチ、具体的には「補充」スイッチ４５と「回収」スイッチ４６とを同時に押圧操作した場合にモード切替操作が入力されたと判断するように設定してある。
モード切替操作が入力されなかった場合（ステップＳ１：Ｎｏ）、制御手段１００は、金銭処理装置を釣銭機として動作させるべく、釣銭モード処理を実施する（ステップＳ１００）。
一方、メイン処理のステップＳ１において入力手段４０からモード切替操作が入力されると（ステップＳ１：Ｙｅｓ）、制御手段１００は、メニュー管理部１０６を通じて両替に際して取り扱う金種を選択するための金種メニューを表示する（ステップＳ２）。金種メニューとは、両替に際して包装硬貨を使用するか否かを表示手段３０の文字表示部３２に表示しても良いし、貨幣のみによる両替メニュー、貨幣と包装硬貨との両替メニュー、包装硬貨と包装硬貨との両替メニューを選択情報として文字表示部３２に切り替え表示するようにしても良い。
【００２２】
制御手段１００は、金種メニューから貨幣のみによる両替処理が選択された場合に貨幣両替モード処理を実施し（ステップＳ３：Ｎｏ→ステップＳ２００）、金種メニューから包装硬貨を使用した両替処理が選択された場合に包装硬貨両替モード処理を実施する（ステップＳ３：Ｙｅｓ→ステップＳ３００）。制御手段１００は、貨幣両替モード処理及び包装硬貨両替モード処理のいずれにおいても、それぞれの処理が終了した場合にモード切替操作をクリアする処理を実施して手順をリターンさせる（ステップＳ４）。従って、次回実施されるステップＳ１においては、新たなモード切替操作が入力されない限り、釣銭モード処理が実施され（ステップＳ１：Ｎｏ→ステップＳ１００）、金銭処理装置が釣銭機として動作することになる。
【００２３】
ここで、釣銭モード処理（ステップＳ１００）は、例えば、ＰＯＳレジスタ２００において買い上げ品の登録が終了し、その合計金額以上の貨幣を買い物客から預かったレジ担当者がこれを金銭処理装置に投入した場合に、買い上げ品の登録が終了した時点でＰＯＳレジスタ２００から金銭処理装置の制御手段１００に対して入金許可指令が与えられ、金銭処理装置から入金額情報を受信したＰＯＳレジスタ２００では、（釣銭）＝（入金額）−（買上額）が算出され、釣銭がある場合には釣銭に対応する出金指令が終了指令とともに金銭処理装置に出力されるものである。この釣銭モード処理は、従来例と同様であるのでその動作説明は省略する。
【００２４】
また、貨幣両替モード処理（ステップＳ２００）は、金銭処理装置の硬貨投入口１１及び紙幣投入口２１に投入された貨幣に対し、それと等価の低額、又は高額の貨幣をその装置本体１内の硬貨収納庫１０或いは紙幣収納庫２０から、硬貨出金口１２或いは紙幣出金口２２に払い出す処理を行うものである。この貨幣両替モード処理も、その動作が従来例と同様であるのでその動作説明は省略する。
（包装硬貨両替モード処理）
図７は、本発明の実施の形態の金銭処理装置において、メイン処理のステップＳ２において金種メニューが表示された後、包装硬貨を使用した両替処理（両替処理指令）が選択された場合に制御手段１００が実施する包装硬貨両替モード処理の内容を示したフローチャートである。
【００２５】
包装硬貨両替モード処理において制御手段１００は、入出金管理部１０５を通じて硬貨投入口１１及び紙幣投入口２１からの入金を監視し（ステップＳ３０１）、さらにメニュー表示を行い（ステップＳ３０２）、貨幣による入金待ち及び入力手段４０を通じた指令入力待ちとなる（ステップＳ３０１：Ｎｏ→ステップＳ３０２→ステップＳ３０３：Ｎｏ→ステップＳ３０４：Ｎｏ→ステップＳ３０５：Ｎｏ→ステップＳ３０１）。
【００２６】
上記の状態において硬貨投入口１１や紙幣投入口２１からの入金を確認すると（ステップＳ３０１：Ｙｅｓ）、制御手段１００は、硬貨鑑別センサ１５及び紙幣鑑別センサ２５を通じて投入された貨幣の鑑別を行い（ステップＳ３０６）、その後、開閉制御部１０８を通じて係合用電磁ソレノイド６４を励磁し、係合手段６０を解除する処理を行う（ステップＳ３０７）。この結果、押圧手段７０の押圧力により、包装硬貨収納庫５０が装置本体１に対して押し出され、その内部を開放して包装硬貨を出し入れすることが可能となる。
【００２７】
係合手段６０を解除した制御手段１００は、さらに包装硬貨鑑別センサ５２の検出結果により入出金管理部１０５を通じて包装硬貨収納庫５０に対する包装硬貨の入出金を監視する（ステップＳ３０８）。さらに制御手段１００は、入出金管理部１０５を通じて「（入金額）−（出金額）」を算出し、この算出結果を表示手段３０の数値表示部３１に表示する処理を行う一方（ステップＳ３０９）、開閉検知センサ８０を通じて包装硬貨収納庫５０が閉塞されたか否かを監視する（ステップＳ３１０）。包装硬貨収納庫５０が開放されている場合には（ステップＳ３１０：Ｎｏ）、依然として包装硬貨収納庫５０に対し包装硬貨を出し入れすることが可能であり、上述したステップＳ３０８、ステップＳ３０９の処理を繰り返し実施する。
【００２８】
これに対し開閉検知センサ８０を通じて包装硬貨収納庫５０が閉塞されたことを検知すると（ステップＳ３１０：Ｙｅｓ）、制御手段１００は、入出金管理部１０５を通じて包装硬貨収納庫５０を開放した時点から閉塞した時点までの包装硬貨の出金額を算出するとともに、この算出した出金額と入金額とを比較する（ステップＳ３１１）。入金額と出金額とが一致した場合（ステップＳ３１１：Ｙｅｓ）、制御手段１００は、開閉制御部１０８を通じて係合手段６０を有効化し（ステップＳ３１２）、さらに報知出力がある場合に報知出力制御部１０９を通じてこれを停止し（ステップＳ３１３：Ｙｅｓ→ステップＳ３１４）、その後に手順をリターンさせる。係合手段６０の有効化とは、係合用電磁ソレノイド６４を消磁した状態に保持する処理である。この結果、固定フック６１と可動フック６２とが係合した状態となり、包装硬貨収納庫５０が閉塞した状態に保持される。さらに、ブザー９０が鳴動することはなく、金銭処理装置が通常状態に復帰することになる。
【００２９】
これに対して入金額と出金額とが一致しない場合（ステップＳ３１１：Ｎｏ）、制御手段１００は、開閉制御部１０８を通じて係合手段６０を無効化し（ステップＳ３１５）、さらに報知出力制御部１０９を通じてブザー９０を鳴動させるとともに、無効化した原因を文字表示部３２に表示する処理を行う（ステップＳ３１６）。係合手段６０の無効化とは、例えば係合用電磁ソレノイド６４を励磁した状態に保持する処理である。無効化した場合に表示する原因としては、例えば「シュッキンガクガフソクシテイマス」、「ニュウキンガクガフソクシテマス」等々、利用者がこれを認識して訂正することのできる具体的なものであることが好ましい。これらの結果、装置本体１に対して閉塞された包装硬貨収納庫５０は、押圧手段７０の押圧力によって押し出された状態となり、さらにはブザー９０の鳴動や表示手段３０の表示により、入金額に対して包装硬貨による出金額が一致していないことを認識することができるようになる。
【００３０】
次いで制御手段１００は、入出金管理部１０５を通じて入金額と出金額とを比較し、出金額に対して入金額が大きいか否かを判断する（ステップＳ３１７）。出金額に対して入金額が大きい場合（ステップＳ３１７：Ｙｅｓ）、制御手段１００は、利用者に対して貨幣による余剰金の出金がＯＫか否かのメニュー表示を行い（ステップＳ３１８）、その後、入力を待つ。
【００３１】
利用者が貨幣による出金をＯＫした場合（ステップＳ３１８：Ｙｅｓ）、制御手段１００は、入金額と出金額との差額に相当する貨幣を（硬貨収納庫１０、紙幣収納庫２０に収納された貨幣により）払い出し可能か否かを判断する（ステップＳ３１９）。そして、その差額の払い出しが可能な場合（ステップＳ３１９：Ｙｅｓ）、その差額に相当する貨幣を払い出す処理を実施し（ステップＳ３２０）、その後、手順をステップＳ３１２に移行させる。すなわち、係合手段６０が有効化され（ステップＳ３１２）、さらに、ブザー９０が鳴動している場合、報知出力制御部１０９を通じてこれを停止し（ステップＳ３１３：Ｙｅｓ→ステップＳ３１４）、その後に手順をリターンさせる処理が行われる。この結果、包装硬貨収納庫５０を押し入れれば、固定フック６１と可動フック６２とが係合した状態となり、包装硬貨収納庫５０が閉塞した状態に保持され、かつブザー９０の鳴動が停止し、金銭処理装置が通常状態に復帰することになる。
尚、出金額に対して入金額が小さい場合（ステップＳ３１７：Ｎｏ）、制御手段１００は、手順を後述の入金追加処理（ステップＳ４００）に移行させる。
また、ステップＳ３１８において、利用者が貨幣による出金をＯＫしない場合（ステップＳ３０８：Ｎｏ）は、手順をステップＳ３０８に移行させる。そして、ステップＳ３０９において再び「（入金額）−（出金額）」を表示し、不足している出金額を包装硬貨によって包装硬貨収納庫５０から取り出すように促す。これにより、入金額と出金額とを一致させることができる。
【００３２】
また、ステップＳ３１９において、入金額と出金額との差額に相当する貨幣を払い出し不可能な場合（ステップＳ３１９：Ｎｏ）（すなわち本体収納庫に収納された貨幣により差額が構成できない場合）、制御手段１００は、手順を後述の出金貨幣変更処理（ステップＳ４５０）に移行させる。
（入金追加処理）
図８は、本発明の実施の形態の金銭処理装置の制御手段１００が実施する入金追加処理（ステップＳ４００）の内容を示したフローチャートである。図に示すように、制御手段１００は、先ず利用者に対して、不足分の貨幣の入金がＯＫか否かのメニュー表示を行い（ステップＳ４０１）、その後、入力を待つ。利用者が入金をＯＫした場合（ステップＳ４０１：Ｙｅｓ）、制御手段１００は貨幣の入金動作を監視し（ステップＳ４０２）、入金があれば（ステップＳ４０２：Ｙｅｓ）、入金貨幣を鑑別し（ステップＳ４０３）、その後、手順をステップＳ３０８に移行させる。すなわち、この状態において再び「（入金額）−（出金額）」を表示し（ステップＳ３０９）、入金額と出金額との一致を確認する（ステップＳ３１１）。そして、入金額と出金額が一致すれば（ステップＳ３１１：Ｙｅｓ）、手順をステップＳ３１２に移行させる。すなわち、係合手段６０が有効化される（ステップＳ３１２）ことで包装硬貨収納庫５０を閉塞保持可能にし、さらに、ブザー９０が鳴動している場合、報知出力制御部１０９を通じてこれを停止し（ステップＳ３１３：Ｙｅｓ→ステップＳ３１４）、その後に手順をリターンさせる処理が行われる。なお、入金額と出金額が一致しなければ（ステップＳ３１１：Ｎｏ）、手順をステップＳ３１５に移行させ、処理を繰り返す。
【００３３】
また、ステップ４０１において、利用者が入金をＯＫしない場合（ステップＳ４０１：Ｎｏ）、制御手段１００は、この両替処理動作を途中終了するか否かの表示を行い（ステップ４０４）、その後、入力を待つ。利用者が両替処理動作を途中終了する場合（ステップＳ４０４：Ｙｅｓ）は、両替終了操作（例えば、取消・復旧ボタン（強制終了手段）の長押）の有無を監視し（ステップＳ４０５）、両替終了操作があれば（ステップＳ４０５：Ｙｅｓ）、異常終了の状態（例えば入出金額、差額、日付等）をメモリ１１０に記憶し、手順をステップＳ３１２に移行させる。すなわち、係合手段６０を有効化し（ステップＳ３１２）て包装硬貨収納庫５０を閉塞保持可能にし、さらに、ブザー９０の鳴動を停止し（ステップＳ３１３：Ｙｅｓ→ステップＳ３１４）、その後に手順をリターンさせる。また、利用者が両替処理動作を途中終了しない場合（ステップＳ４０４：Ｎｏ）は、手順をステップＳ３０８に移行させる。そして、ステップＳ３０９において再び「（入金額）−（出金額）」を表示し、取りすぎた包装硬貨を包装硬貨収納庫５０に返却するように促す。これにより、入金額と出金額とを一致させる。
（出金貨幣変更処理）
【００３４】
図９は、本発明の実施の形態の金銭処理装置の制御手段１００が実施する出金貨幣変更処理（ステップＳ４５０）の内容を示したフローチャートである。図に示すように、制御手段１００は、先ず利用者に対して、例えば「○○エンニュウキンスレバ、×××エンシュッキンシマス」等の表示を行って、出金貨幣を変更するために貨幣の追加入金がＯＫか否かのメニュー表示を行い（ステップＳ４５１）、その後、入力を待つ。利用者が追加入金をＯＫした場合（ステップＳ４５１：Ｙｅｓ）、制御手段１００は貨幣の入金動作を監視し（ステップＳ４５２）、入金があれば（ステップＳ４５２：Ｙｅｓ）、入金貨幣を鑑別し（ステップＳ４５３）、その後、手順をステップＳ３０８に移行させる。すなわち、この状態において再び「（入金額）−（出金額）」を表示し（ステップＳ３０９）その差額を確認する。そして、再びステップＳ３１１、ステップＳ３１５〜３２０の処理を実施して差額が払出可能であることを確認して払い出し、手順をステップＳ３１２に移行させる。すなわち、係合手段６０を有効化し（ステップＳ３１２）て包装硬貨収納庫５０を閉塞保持可能にし、さらに、ブザー９０の鳴動を停止し（ステップＳ３１３：Ｙｅｓ→ステップＳ３１４）、その後に手順をリターンさせる。
【００３５】
また、ステップＳ４５１において、利用者が追加入金をＯＫしない場合（ステップＳ４５１：Ｎｏ）、制御手段１００は、この両替処理動作を途中終了するか否かの表示を行い（ステップ４５４）、その後、入力を待つ。利用者が両替処理動作を途中終了する場合（ステップＳ４５４：Ｙｅｓ）は、両替終了操作（例えば、取消・復旧ボタンの長押）の有無を監視し（ステップＳ４５５）、両替終了操作があれば（ステップＳ４５５：Ｙｅｓ）、異常終了の状態をメモリ１１０に記憶し、手順をステップＳ３１２に移行させる。すなわち、係合手段６０を有効化し（ステップＳ３１２）て包装硬貨収納庫５０を閉塞保持可能にし、さらに、ブザー９０の鳴動を停止し（ステップＳ３１３：Ｙｅｓ→ステップＳ３１４）、その後に手順をリターンさせる。また、利用者が両替処理動作を途中終了しない場合（ステップＳ４５４：Ｎｏ）は、手順をステップＳ３０８に移行させる。そして、ステップＳ３０９において再び「（入金額）−（出金額）」を表示し、不足の包装硬貨を包装硬貨収納庫５０から取り出すように促す。これにより、入金額と出金額とを一致させる。
（包装硬貨⇒包装硬貨両替処理）
【００３６】
ところで、包装硬貨両替モード処理のステップＳ３０２で表示されたメニューから利用者が包装硬貨と包装硬貨との間の両替を選択した場合（ステップＳ３０３：Ｙｅｓ）、制御手段１００は、手順をステップＳ３０７に移行させる処理を行う。すなわち、開閉制御部１０８を通じて係合用電磁ソレノイド６４を励磁することにより係合手段６０を解除し（ステップＳ３０７）、その後、上述と同様の処理を実施する。この結果、先と同様、押圧手段７０の押圧力により、包装硬貨収納庫５０が装置本体１に対して押し出され、その内部を開放して包装硬貨を出し入れすることが可能となる。従って、開放された包装硬貨収納庫５０に対して利用者が包装硬貨を出し入れすれば、その収支がステップＳ３０９において表示手段３０に表示されることになる。収支が合ってない状態において包装硬貨収納庫５０を閉塞させれば、上述したように、係合手段６０が無効化されて押し出されるとともに、ブザー９０が鳴動してこれを報知することになる。これにより、表示手段３０の表示により入金額と出金額との差額を確認し、これが一致した時点で包装硬貨収納庫５０を閉塞させれば、閉塞状態を維持するとともに、ブザー９０の鳴動が停止することでこれを認識することができるようになり、包装硬貨を適用した両替処理を容易、かつ確実に実施できる。
（包装硬貨⇒貨幣両替処理）
【００３７】
また、包装硬貨両替モード処理のステップＳ３０２で表示されたメニューから利用者が包装硬貨から貨幣への両替処理を選択した場合（ステップＳ３０４：Ｙｅｓ）、制御手段１００は、包装硬貨→貨幣両替処理を実施する（ステップＳ３５０）。
図１０は、本発明の実施の形態の金銭処理装置の制御手段１００が実施する包装硬貨⇒貨幣両替処理の内容を示すフローチャートである。包装硬貨→貨幣両替処理において制御手段１００は、開閉制御部１０８を通じて係合用電磁ソレノイド６４を励磁し、係合手段６０を解除する処理を行う（ステップＳ３５１）。この結果、押圧手段７０の押圧力により、包装硬貨収納庫５０が装置本体１に対して押し出され、その内部を開放して包装硬貨を出し入れすることが可能となる。
【００３８】
係合手段６０を解除した制御手段１００は、さらに包装硬貨鑑別センサ５２の検出結果により入出金管理部１０５を通じて包装硬貨収納庫５０に対する包装硬貨の入金を監視し（ステップＳ３５２）、さらに表示手段３０に入金額を表示する処理を行い（ステップＳ３５３）、その後、開閉検知センサ８０を通じて包装硬貨収納庫５０が閉塞されたか否かを監視する（ステップＳ３５４）。包装硬貨収納庫５０が開放されている場合には（ステップＳ３５４：Ｎｏ）、依然として包装硬貨収納庫５０に対し包装硬貨を出し入れすることが可能であり、上述したステップＳ３５２及びステップＳ３５３の処理を繰り返し実施する。
【００３９】
これに対し開閉検知センサ８０を通じて包装硬貨収納庫５０が閉塞されたことを検知すると（ステップＳ３５４：Ｙｅｓ）、制御手段１００は、入出金管理部１０５を通じて包装硬貨収納庫５０に対する入金額がゼロでないか否かを確認する（ステップＳ３５５）。包装硬貨による入金額がゼロの場合（ステップＳ３５５：Ｎｏ）、制御手段１００は、以降の処理を実施することなく今回の包装硬貨→貨幣両替処理を終了し、手順をリターンさせる。
一方、包装硬貨収納庫５０が開放されてから閉塞されるまでの間の包装硬貨の入金額がゼロでない場合（ステップＳ３５５：Ｙｅｓ）、制御手段１００は、変数ｍに「１」を代入する処理を実施し（ステップＳ３５６）、その後、入出金管理部１０５を通じて払い出し可能な金種の抽出を行う（ステップＳ３５７）。具体的には、入出金管理部１０５によってメモリ１１０に格納された、現時点で硬貨収納庫１０に収納されている硬貨の金種とその収納数の情報、並びに紙幣収納庫２０に収納されている紙幣の金種とその収納数の情報を読み出す処理を実施し、これらに基づいて払い出し可能な金種を設定する。この場合、予め閾値（≠０）を設定しておき、閾値を下回る収納数の貨幣に関しては、払い出し可能な金種として設定しないようにしても良い。
【００４０】
払い出し可能な金種を抽出した制御手段１００は、これらの金種から入金された貨幣に対して異なる組み合せで等価となる出金金種情報を設定し（ステップＳ３５８）、さらに設定した出金金種情報のうち、ｍ番目の出金金種情報（今回は１番目の出金金種情報）を表示手段３０にメニューとして表示する処理を行い（ステップＳ３５９）、入力手段４０からの入力待ちとなる（ステップＳ３６０、ステップＳ３６１）。
ここで制御手段１００が設定・表示する出金金種情報は、入金された貨幣に対して金種が異なる組み合せで等価となるものであり、入金された貨幣よりも低額金種の組み合せ（順両替）及び入金された貨幣よりも高額金種の組み合せ（逆両替）の双方となる。順両替及び逆両替のいずれにあっても複数種類の組み合せが存在し、かつ入出金管理部１０５によって払い出し可能な金種として抽出されたものである場合には、それらすべての表示を行う。表示を行う順番については、メニュー管理部１０６を通じて適宜処理し、例えば抽出したすべての出金金種情報を過去の選択頻度順に並べてこれを先頭から順に表示すれば良い。また、予め入力手段４０を通じて優先して払い出す金種が設定された場合、この設定された金種を含むメニューの表示順位を早くするようにしても良い。
【００４１】
以上のように、本発明の金銭処理装置は、包装硬貨を用いた両替処理において、入出金額の差額を出金口１２，２２に払い出す場合に、本体収納庫１０，２０に収納された貨幣の一部金種の不足によりその差額が払い出せないときも、投入口１１，２１から貨幣を投入しその差額を変更することにより、その金種構成を変えて払い出しを可能にすることができるから、その両替処理を簡易な方法で確実に実施し、違算の発生を防止することができる。また、その差額が払い出されるまで装置本体１に対し包装硬貨収納庫５０を開放状態に保持することで、その両替処理を確実に完了させることができる。これらにより、包装硬貨を用いた両替を容易に、しかも厳正に実施することができる金銭処理装置を提供することができる。
【００４２】
また、貨幣の入金額が包装硬貨の出金額より少ない場合に、装置本体１に対し包装硬貨収納庫５０を開放状態とし、かつ投入口１１，１２からその不足額を投入可能にすることができるから、その両替処理を確実に実施し、違算の発生を防止することができる。したがって、これにより包装硬貨を用いた両替を厳正に実施することができる金銭処理装置を提供することができる。
【００４３】
さらに、本発明の金銭処理装置は、包装硬貨を用いた両替処理において、入出金額の差額が生じた場合に、その両替処理が完了できないときも、その異常状態を記憶し、装置本体１に対して包装硬貨収納庫５０を閉塞する状態に復帰させることによって、異常の原因を明確にするとともに、装置の停止時間を短縮することができる。すなわち、不具合の発生時にも効率的な運用が可能な金銭処理装置を提供することができる。
なお、本発明は、言うまでもなく本実施の形態に示す装置にのみ限定されず、その趣旨の包含する範囲で応用変更が可能である。例えば、包装硬貨両替モード処理（ステップＳ３００）を実施する場合に、図7に示す「メニュー表示」（ステップＳ３０２）から「取消」（ステップＳ３０５）までのフローを省略し、入金貨幣に対して等価の包装硬貨を取り出す両替処理のみを実施するようにしても良い。これにより、包装硬貨の両替操作が簡単な金銭処理機を提供することができる。また、この金銭処理装置を構成する硬貨収納部１０や紙幣収納部２０の構成、形状や、表示手段３０、或は入力手段４０の形態及び構成等は、この実施形態に示すものに限定されるものではない。また、本発明の金銭処理装置は、１つの制御手段１００によって硬貨、紙幣、包装硬貨の入出金を集中制御するようにしているが、本発明は必ずしもこれに限定されず、例えば硬貨処理部、紙幣処理部及び包装硬貨処理部がそれぞれ専用の制御手段を備えるように構成することも可能である。
【符号の説明】
【００４４】
１  装置本体
１０  硬貨収納庫（本体収納庫）
１１  硬貨投入口（入金口）
１２  硬貨出金口（出金口）
１５  硬貨鑑別センサ１７  硬貨出金口センサ２０  紙幣収納庫（本体収納庫）
２１  紙幣投入口（入金口）
２２  紙幣出金口（出金口）
２５  紙幣鑑別センサ
２７  紙幣出金口センサ３０  表示手段
４０  入力手段
４４  「取消・復旧」スイッチ（強制終了手段）
５０  包装硬貨収納庫
５２  包装硬貨鑑別センサ（包装硬貨検出手段）
６０  係合手段
８０  開閉検知手段
１００  入制御手段
１１０  メモリ
２００  ＰＯＳレジスタ
【図１】
0005857818.tif 000002
【図２】
0005857818.tif 000003
【図３】
0005857818.tif 000004
【図４】
0005857818.tif 000005
【図５】
0005857818.tif 000006
【図６】
0005857818.tif 000007
【図７】
0005857818.tif 000008
【図８】
0005857818.tif 000009
【図９】
0005857818.tif 000010
【図１０】
0005857818.tif 000011